(57)【要約】【課題】複数の給湯端末に単一の給湯器本体で給湯する給湯装置において、水道代及びガス代を節約可能な制限給湯量とするための節約スイッチがオン操作された場合に、いずれの給湯端末でも給湯量の不足を感じさせない、使い勝手のよい給湯装置を提供する。【解決手段】浴室用リモコン６０、及び台所用リモコン７０にはそれぞれ、浴室用節約スイッチ６４、及び台所用節約スイッチ７２が設けられており、浴室用節約スイッチ６４がオン操作された場合、給湯量を浴室用節約給湯量に調整し、台所用節約スイッチ７２がオン操作された場合、給湯量を浴室用節約給湯量よりも少量の台所用節約給湯量に調整する。【選択図】図１
2014219127.tif 000002
【特許請求の範囲】
【請求項１】
浴室及び台所を含む各給湯端末への給湯量調整機能を有する単一の給湯器本体と、
前記給湯器本体の運転動作を指示する浴室用リモコン及び台所用リモコンと、
前記浴室用リモコン及び前記台所用リモコンからの運転指示に基づき、各給湯端末への給湯を制御する制御手段と、を有する給湯装置であって、
前記浴室用リモコン、及び前記台所用リモコンはそれぞれ、浴室用節約スイッチ、及び台所用節約スイッチを有し、
前記制御手段は、
前記浴室用節約スイッチがオン操作された場合、前記給湯器本体からの給湯量を浴室用節約給湯量に調整し、前記台所用節約スイッチがオン操作された場合、前記給湯器本体からの給湯量を前記浴室用節約給湯量よりも少量の台所用節約給湯量に調整する給湯装置。
【請求項２】
請求項１に記載の給湯装置において、
前記制御手段は、
前記浴室用節約スイッチがオン操作された状態で、前記台所用節約スイッチがオン操作される第１の重複操作があった場合、前記台所用節約スイッチのオン操作を無効とし、
前記台所用節約スイッチがオン操作された状態で、前記浴室用節約スイッチがオン操作される第２の重複操作があった場合、前記給湯器本体からの給湯量を浴室用節約給湯量に調整する給湯装置。
【請求項３】
請求項１または２に記載の給湯装置において、
前記浴室用リモコン、及び前記台所用リモコンはそれぞれ、他方の節約スイッチがオン操作されていることを表示する節約表示部を有する給湯装置。
【発明の詳細な説明】
【技術分野】
【０００１】
本発明は、給湯装置に関する。特に、本発明は、操作端末に給湯端末への給湯量を制限する節約スイッチを備えた給湯装置に関する。
【背景技術】
【０００２】
従来、リモコンに節約スイッチを設け、節約スイッチのオン操作により、給湯器本体から給湯端末への給湯量を制限することにより、水道代やガス代の節減を図る給湯装置が知られている（特許文献１）。また、給湯回路中に、流量調節装置を設け、該流量調節装置の制御流量値を最大値よりも低い所定流量値に制限するようにし、リモコンにより制限処理の有効無効を切換え可能にした給湯装置が知られている（特許文献２）。
【先行技術文献】
【特許文献】
【０００３】
【特許文献１】特開２００１−１１６３５９号公報
【特許文献２】特開平９−３０３８６５号公報
【発明の概要】
【発明が解決しようとする課題】
【０００４】
ところで、上記のような給湯量調整機能を有する給湯装置では、単一の給湯器本体から台所の給湯栓や浴室のシャワーなどに給湯が行われている。リモコンに節約スイッチを設ける場合、一般家庭において使用頻度の最も高い給湯端末は台所の給湯栓であることから、給湯量を制限する場合、台所で必要とされる最低給湯量を満足する程度の制限給湯量とすることが考えられる。
【０００５】
しかしながら、浴室のシャワーなどで要求される給湯量は、台所の給湯栓で要求される給湯量よりも多い。それゆえ、単一の給湯器本体から浴室及び台所に設置された各給湯端末に給湯する場合、給湯量が制限給湯量に調整されると、給湯栓などの給湯端末の開度を全開にしても、制限給湯量以上の給湯量が得られないから、台所で要求される最低給湯量を基準にして、制限給湯量を設定すると、浴室では給湯量が不足するという問題がある。
【０００６】
本発明は上記課題を解決するためになされたものであり、本発明の目的は、浴室及び台所を含む複数の給湯端末に単一の給湯器本体で給湯する給湯装置において、水道代及びガス代を節約可能な制限給湯量とするための節約スイッチがオン操作された場合に、いずれの給湯端末でも給湯量の不足を感じさせない、使い勝手のよい給湯装置を提供することにある。
【課題を解決するための手段】
【０００７】
本発明は、浴室及び台所を含む各給湯端末への給湯量調整機能を有する単一の給湯器本体と、
前記給湯器本体の運転動作を指示する浴室用リモコン及び台所用リモコンと、
前記浴室用リモコン及び前記台所用リモコンからの運転指示に基づき、各給湯端末への給湯を制御する制御手段と、を有する給湯装置であって、
前記浴室用リモコン、及び前記台所用リモコンはそれぞれ、浴室用節約スイッチ、及び台所用節約スイッチを有し、
前記制御手段は、
前記浴室用節約スイッチがオン操作された場合、前記給湯器本体からの給湯量を浴室用節約給湯量に調整し、前記台所用節約スイッチがオン操作された場合、前記給湯器本体からの給湯量を前記浴室用節約給湯量よりも少量の台所用節約給湯量に調整する給湯装置である。
【０００８】
上記給湯装置によれば、浴室用リモコン、及び台所用リモコンがそれぞれ、浴室用節約スイッチ、及び台所用節約スイッチを有しており、浴室用節約スイッチがオン操作された場合の浴室用節約給湯量は、通常給湯量より少量であるが台所用節約スイッチがオン操作された場合の台所用節約給湯量よりも多くなるように設定されているから、各節約スイッチがオン操作された場合に、いずれの給湯場所でも、給湯量の不足を感じることなく、給湯することができる。
【０００９】
上記給湯装置において、好ましくは、
前記制御手段は、
前記浴室用節約スイッチがオン操作された状態で、前記台所用節約スイッチがオン操作される第１の重複操作があった場合、前記台所用節約スイッチのオン操作を無効とし、
前記台所用節約スイッチがオン操作された状態で、前記浴室用節約スイッチがオン操作される第２の重複操作があった場合、前記給湯器本体からの給湯量を浴室用節約給湯量に調整する。
【００１０】
浴室用リモコンと台所用リモコンとにそれぞれ、節約スイッチが設けられていると、浴室用節約スイッチのオン操作と、台所用節約スイッチのオン操作とが重複する場合がある。
【００１１】
上記のような操作環境において、台所用節約スイッチより先に浴室用節約スイッチがオン操作されている場合、台所の使用者が浴室用節約給湯量で使用されていることを知らずに台所用節約スイッチをオン操作し、後からオン操作された台所用節約スイッチを優先させると、給湯量が浴室用節約給湯量より少ない台所用節約給湯量に制限されるから、浴室の使用者がシャワーなどの給湯端末の開度を最大にしても、給湯量が不足する。しかしながら、上記給湯装置によれば、浴室用節約スイッチがオン操作されている状態では、台所用節約スイッチのオン操作が無効とされるから、浴室での給湯量不足を防止することができる。
【００１２】
一方、浴室用節約スイッチより先に台所用節約スイッチがオン操作されている場合、浴室の使用者が台所用節約給湯量で使用されていることを知らずに浴室用節約スイッチをオン操作すると、浴室では、給湯量が台所用節約給湯量より多い浴室用節約給湯量に変更されるから、浴室の使用者が不便を感じることのない給湯量が得られる。また、台所では、給湯量が台所用節約給湯量から浴室用節約給湯量へ多くなるが、台所の給湯栓の開度を調整することにより、容易に給湯量を絞ることができる。
【００１３】
上記給湯装置において、好ましくは、
前記浴室用リモコン、及び前記台所用リモコンはそれぞれ、他方の節約スイッチがオン操作されていることを表示する節約表示部を有する。
【００１４】
上記給湯装置によれば、各リモコンに他方の節約スイッチがオン操作されていることを示す節約表示部が設けられているから、操作前に他方の節約給湯量で給湯されるかどうかを使用者に認知させることができる。また、浴室用節約スイッチよりも先に台所用節約スイッチがオン操作されている場合、浴室用節約スイッチをオン操作すると、台所用リモコンの節約表示部に浴室用節約スイッチがオン操作されたことが表示されるから、台所で給湯量が多くなっても、使用者に違和感を与えない。さらに、台所用節約スイッチより先に浴室用節約スイッチがオン操作されている場合に、後の台所用節約スイッチのオン操作を無効とする給湯装置では、台所用リモコンの節約表示部に浴室用節約スイッチがオン操作されていることが表示されるから、台所用節約給湯量で給湯されなくても使用者に違和感を与えない。
【発明の効果】
【００１５】
以上説明したように、本発明によれば、浴室用リモコン、及び台所用リモコンがそれぞれ、浴室用節約スイッチ、及び台所用節約スイッチを有し、各節約スイッチをオン操作することにより異なる節約給湯量で給湯されるから、いずれの給湯場所でも効率的に給湯を行うことができる。
【００１６】
また、両節約スイッチのオン操作が重複する場合、節約給湯量の多い浴室用節約スイッチを優先させるから、いずれの給湯場所でも使用者は所望の給湯量を得ることができる。
【図面の簡単な説明】
【００１７】
【図１】図１は、本発明の実施の形態に係る給湯装置の一例を示す概略構成図である。
【図２】図２は、本発明の実施の形態に係る給湯装置で、台所用節約給湯量で給湯量制御を行う場合の制御動作の一例を示す制御フローチャートである。
【図３】図３は、本発明の実施の形態に係る給湯装置で、浴室用節約給湯量で給湯量制御を行う場合の制御動作の一例を示す制御フローチャートである。
【発明を実施するための形態】
【００１８】
以下、図面を参照しながら、本実施の形態の給湯装置について具体的に説明する。
【００１９】
図１に示すように、本実施の形態の給湯装置は、浴室、台所や、洗面所の各給湯端末へ給湯する給湯機能と、浴槽内の風呂水を追焚き加熱する追い焚き機能とを有している。なお、給湯機能を有する給湯装置であれば、追焚き機能は必ずしも必要でなく、また、上記機能に加え、給湯器本体１と暖房装置とが接続された暖房機能をさらに有する給湯装置であってもよい。
【００２０】
給湯装置は、浴室や台所などの給湯端末に所定の湯水を給湯するための給湯器本体１と、給湯器本体１の運転動作を指示する浴室用リモコン６０及び台所用リモコン７０と、浴室用リモコン６０及び台所用リモコン７０と電気配線または無線により接続されて給湯装置全体の動作を制御する制御装置Ｃとを備えている。
【００２１】
給湯器本体１は、給湯用熱交換器２１Ａ及び風呂用熱交換器２１Ｂを備えた熱源機１１と、給水源から供給される水を給湯用熱交換器２１Ａに導き、給湯用熱交換器２１Ａから浴室の給湯端末であるシャワーＰ１や台所の給湯端末である給湯栓Ｐ３、さらに図示しない洗面所などの他の給湯端末に供給する給湯管路２と、給湯管路２から分岐し、給湯用熱交換器２１Ａから浴室の浴槽Ｐ２へ湯張りを行う湯張り管路３と、浴槽Ｐ２と風呂用熱交換器２１Ｂとの間で風呂水を循環させる追焚き循環管路４とを備えている。
【００２２】
給湯管路２は、給水源から給湯用熱交換器２１Ａへ水を供給する給水管２ａと、給湯用熱交換器２１ＡからシャワーＰ１や給湯栓Ｐ３などの給湯端末に給湯用熱交換器２１Ａで加熱生成された湯水を供給する出湯管２ｂと、給水管２ａと出湯管２ｂの間に、給湯用熱交換器２１Ａで加熱生成された高温の湯水を所定温度に調整するために給水管２ａから水を混合するバイパス管２ｃとを備えている。
【００２３】
給水管２ａには、給湯用熱交換器２１Ａに供給される水の量を検知するための水量センサ３１と、シャワーＰ１や給湯栓Ｐ３などの給湯端末への給湯量を調整する流量調整弁３０と、給湯用熱交換器２１Ａとバイパス管２ｃへの水量を調整可能な分配弁３２とが上流側から順に設けられている。
【００２４】
出湯管２ｂには、給湯用熱交換器２１Ａの出口付近の湯水の温度を検知する熱交サーミスタ５１と、出湯管２ｂとバイパス管２ｃとの接合部よりも下流側に給湯用熱交換器２１Ａから出湯される湯水とバイパス管２ｃから供給される水とが混合された湯水の温度を検知する出湯温サーミスタ５２とが設けられている。
【００２５】
また、出湯管２ｂには、浴槽Ｐ２への湯張りを行う湯張り管路３の注湯管３ａが分岐接続されており、注湯管３ａの下流端は、後述する追焚き循環管路４の戻り管４ａに接続されている。この注湯管３ａには、給湯用熱交換器２１Ａからの湯水の供給を遮断可能な湯張り電磁弁３３と、追焚き循環管路４からの風呂水の逆流を防止するための風呂逆止弁３４と、注湯管３ａを流れる湯水の流量を検知する湯量センサ３５とが上流側から順に設けられている。
【００２６】
追焚き循環管路４は、浴槽Ｐ２から風呂用熱交換器２１Ｂに風呂水を戻す戻り管４ａと、風呂用熱交換器２１Ｂで加熱された風呂水を浴槽Ｐ２に送る往き管４ｂとを備えている。戻り管４ａ及び往き管４ｂの浴槽Ｐ２側の端部はそれぞれ、浴槽Ｐ２の内部の底部近傍に設けられた循環金具（図示せず）に接続されている。
【００２７】
追焚き循環管路４の戻り管４ａには、浴槽Ｐ２から戻り管４ａに吸込まれる浴槽Ｐ２内の風呂水の温度を検知する戻り側サーミスタ４１と、循環ポンプ３７と、浴槽Ｐ２内の風呂水の水位を検知する水位センサ３８と、戻り管４ａの水流に応じてオンオフする水流スイッチ３９とが上流側から順に設けられている。また、戻り管４ａと注湯管３ａとの接続部には、湯張り運転時に開弁し、追焚き運転時に閉弁される切替弁４０が設けられている。
【００２８】
追焚き循環管路４の往き管４ｂには、浴槽Ｐ２に送る循環加熱した風呂水の温度を検知するための往き側サーミスタ４２が設けられている。
【００２９】
熱源機１１の筺体１０内には、給水管２ａから供給される水を燃焼排ガスとの熱交換により加熱する給湯用熱交換器２１Ａと、戻り管４ａから戻る風呂水を燃焼排ガスとの熱交換により加熱する風呂用熱交換器２１Ｂと、ガス配管１５からガス管路を通じて供給される燃料ガスを燃焼用空気と混合して燃焼させ、燃焼排ガスを生成するガスバーナ２２Ａ，２２Ｂとが組み込まれている。また、筺体１０の下部には、筺体１０内へ燃焼用空気を送り込む燃焼ファン２３が設けられている。
【００３０】
給湯用熱交換器２１Ａは、燃焼排ガスの顕熱を回収する給湯用主熱交換器２１１と、この給湯用主熱交換器２１１よりも燃焼排ガスの流れの下流側に設けられて、燃焼排ガスの潜熱を回収する給湯用副熱交換器２１２とを備えている。そして、給湯用副熱交換器２１２の上流端には、給水管２ａが接続され、給湯用主熱交換器２１１の下流端には、出湯管２ｂが接続されている。
【００３１】
風呂用熱交換器２１Ｂは、給湯用熱交換器２１Ａと同様に、燃焼排ガスの顕熱を回収する風呂用主熱交換器２１３と、この風呂用主熱交換器２１３よりも燃焼排ガスの流れの下流側に設けられて、燃焼排ガスの潜熱を回収する風呂用副熱交換器２１４とを備えている。そして、風呂用副熱交換器２１４の上流端には、戻り管４ａが接続され、風呂用主熱交換器２１３の下流端には、往き管４ｂが接続されている。
【００３２】
ガス配管１５には、ガスバーナ２２Ａ，２２Ｂへの燃料ガスの供給を遮断可能なガス元弁２５と、ガスバーナ２２Ａ，２２Ｂへの燃料ガスの供給量を調整可能なガス比例弁２６とが上流側から順に設けられている。また、ガス比例弁２６の下流側には、各ガスバーナ２２Ａ，２２Ｂへの燃料ガスの供給を遮断可能なガス遮断弁２７Ａ，２７Ｂが設けられている。
【００３３】
既述した燃焼ファン２３、ガス元弁２５、ガス比例弁２６、ガス遮断弁２７Ａ，２７Ｂ、流量調整弁３０、水量センサ３１、分配弁３２、湯張り電磁弁３３、湯量センサ３５、循環ポンプ３７、水位センサ３８、水流スイッチ３９、切替弁４０、往き側及び戻り側サーミスタ４２，４１、熱交サーミスタ５１、出湯温サーミスタ５２はそれぞれ、図示しない電気配線を通じて制御装置Ｃに接続されている。
【００３４】
浴室用リモコン６０は、運転スイッチ６１、湯張り運転スイッチ６２、追焚き運転スイッチ６３、浴室用節約スイッチ６４、湯温設定スイッチ６５、湯量設定スイッチ６６、台所用節約スイッチ７２がオン操作された状態であることを表示する節約表示部６７や、給湯温度などを表示する液晶表示部６８、スピーカ６９を備えている。また、台所用リモコン７０は、運転スイッチ７１、台所用節約スイッチ７２、浴室用節約スイッチ７３、湯温設定スイッチ７４、浴室用節約スイッチ６４または７３がオン操作された状態であることを表示する節約表示部７５、給湯温度などを表示する液晶表示部７６、スピーカ７７を備えている。なお、各運転スイッチや各節約スイッチは、１回押すごとにオンオフが切り替えられるように構成されており、オン状態では、各スイッチに設けられたＬＥＤ表示部が点灯するように構成されている。
【００３５】
図示しないが、制御装置Ｃは、給湯量を制御する給湯運転制御部、湯張り運転を制御する湯張り運転制御部、追焚き運転を制御する追焚き運転制御部を備えており、マイクロコンピュータ、メモリ、タイマなどの回路構成を備えている。各運転制御部は、ガスバーナ２２Ａ，２２Ｂの燃焼を制御する燃焼制御部と、流量調整弁３０、分配弁３２、湯張り電磁弁３３、循環ポンプ３７、切替弁４０を制御する流量制御部とを備えている。また、メモリには、各運転を行う場合の制御プログラムや、各リモコン６０，７０で設定された温度の湯水を給湯端末に、給湯器本体１の給湯能力から最大流量を制限給湯量とする通常給湯量（例えば、１０Ｌ／ｍｉｎ）、浴室用節約スイッチ６４または７３がオン操作された場合の浴室用節約給湯量（例えば、８Ｌ／ｍｉｎ）、及び台所用節約スイッチ７２がオン操作された場合の台所用節約給湯量（例えば、４Ｌ／ｍｉｎ）のそれぞれで給湯する場合の燃料ガス供給量や燃焼ファン２３の回転数などの設定値を含むデータテーブルが記憶されている。
【００３６】
次に、本実施の形態の給湯装置における給湯量制御の動作について説明する。図２は、台所用節約給湯量で給湯量制御が行われる場合の制御プログラムであり、図３は、浴室用節約給湯量で給湯量制御が行われる場合の制御プログラムである。なお、本実施の形態の給湯装置では、浴室用リモコン６０または台所用リモコン７０のいずれか一方の運転スイッチ６１または７１がオン操作されると、他方のリモコンがオン状態となるように構成されている。
【００３７】
図２に示すように、使用者が、台所用リモコン７０の運転スイッチ７１をオン操作した後、台所用節約スイッチ７２をオン操作すると（ステップＳＴ１〜ＳＴ２）、まず湯張り運転が実行されているかどうかを判定する（ステップＳＴ３）。すなわち、本実施の形態の給湯装置では、単一の給湯器本体１で浴槽Ｐ２への湯張りも行われるから、湯張り運転が行われている場合に給湯量が台所用節約給湯量に減少すると湯張り運転に長時間が必要となる。このため、湯張り運転が行われている場合（ステップＳＴ３で、Ｙｅｓ）、湯張り運転中であることを液晶表示部７６やスピーカ７７から報知し（ステップＳＴ１２）、台所用節約給湯量での給湯量制御を終了する（ステップＳＴ１３）。
【００３８】
湯張り運転が行われていない場合（ステップＳＴ３で、Ｎｏ）、さらに浴室用節約スイッチ６４または７３がオン操作された状態かどうかを判定する（ステップＳＴ４）。すなわち、台所用節約スイッチ７２より先に浴室用節約スイッチ６４または７３がオン操作されている場合（第１の重複操作の場合）、後からオン操作した台所用節約スイッチ７２を優先させると、給湯量が浴室用節約給湯量より少ない台所用節約給湯量に制限されるから、浴室の使用者がシャワーＰ１などの給湯端末の開度を最大にしても、給湯量が不足する。このため、台所用節約スイッチ７２のオン操作を無効とし、浴室用節約給湯量で給湯量制御中であることを液晶表示部７６やスピーカ７７から報知して（ステップＳＴ１２）、台所用節約給湯量での給湯量制御を終了する（ステップＳＴ１３）。このとき、後述するように、浴室用節約スイッチ６４または７３のオン操作が台所用リモコン７０の節約表示部７５に表示されているから、台所用節約スイッチ７２が受け付けられない理由を使用者は認知することができる。なお、本実施の形態では、浴室のシャワーＰ１が使用されておらず、水量センサ３１で一定の水量が検知されていない場合であっても、浴室用節約スイッチ６４または７３がオン操作されている状態であれば、上記処理を行って、台所用節約給湯量での給湯量制御が中止される。これにより、一時的にシャワーＰ１が使用されていない場合であっても、浴室用節約給湯量での給湯量制御が維持されるから、給湯量の減少による浴室の使用者の不便は生じない。
【００３９】
浴室用節約スイッチ６４または７３がオン操作されていない場合（ステップＳＴ４で、Ｎｏ）、浴室用リモコン６０の節約表示部６７に台所用節約スイッチ７２がオン操作されたことを表示させ（ステップＳＴ５）、流量調整弁３０の開度を小に変更する（ステップＳＴ６）。次いで、使用者が台所の給湯栓Ｐ３を開栓して、水量センサ３１で最低作動水量以上の水量が検知されると、燃焼ファン２３を回転駆動させ、ガス元弁２５、ガス比例弁２６、ガス遮断弁２７Ａを開弁し、所定量の燃料ガスをガスバーナ２２Ａに供給して、台所用節約給湯量での給湯量制御を開始する（ステップＳＴ７〜ＳＴ８）。
【００４０】
台所用節約スイッチ７２をオフ操作すると（ステップＳＴ９で、Ｙｅｓ）、浴室用リモコン６０の節約表示部６７の表示を終了するとともに、台所用節約給湯量での給湯量制御を終了し（ステップＳＴ１３）、通常給湯量での制御に戻る。また、台所用節約スイッチ７２をオフ操作しない場合でも（ステップＳＴ９で、Ｎｏ）、使用者が給湯栓Ｐ３を閉栓して、水量センサ３１で検知される水量が最低作動水量未満となり、さらに所定の待機時間（例えば、１０分間）が経過すると（ステップＳＴ１０及びＳＴ１１で、Ｙｅｓ）、使用者が台所用節約スイッチ７２のオフ操作を忘れたと判定して、台所用節約給湯量での給湯量制御を終了する（ステップＳＴ１３）。なお、台所用節約スイッチ７２がオン操作されない場合（ステップＳＴ２で、Ｎｏ）、通常給湯量での給湯量制御が行われる。
【００４１】
また、図３に示すように、使用者が浴室用リモコン６０の運転スイッチ６１をオン操作した後、浴室用節約スイッチ６４または７３をオン操作すると（ステップＳＴ２１〜ＳＴ２２）、上記と同様に、まず湯張り運転が実行されているかどうかを判定し（ステップＳＴ２３）、湯張り運転が行われている場合（ステップＳＴ２３で、Ｙｅｓ）、湯張り運転中であることを液晶表示部６８やスピーカ６９から報知し（ステップＳＴ３４）、浴室用節約給湯量での給湯量制御を終了する（ステップＳＴ３５）。
【００４２】
湯張り運転が行われていない場合（ステップＳＴ２３で、Ｎｏ）、さらに台所用節約スイッチ７２がオン操作された状態かどうかを判定する（ステップＳＴ２４）。すなわち、本実施の形態の給湯装置では、台所用節約給湯量よりも多い浴室用節約給湯量での給湯量制御を優先させるから、浴室用節約スイッチ６４または７３より先に台所用節約スイッチ７２がオン操作されている場合（第２の重複操作の場合）、台所用節約給湯量での給湯量制御を中止する必要がある。このため、台所用節約スイッチ７２がオン操作された状態にある場合（ステップＳＴ２４で、Ｙｅｓ）、浴室用節約給湯量へ変更されることを台所用リモコン７０の液晶表示部７６やスピーカ７７から報知し（ステップＳＴ２５）、台所用節約給湯量での給湯量制御を中止する（ステップＳＴ２６）。これにより、台所の使用者に浴室用節約給湯量に変更されることを認知させることができる。
【００４３】
次いで、台所用リモコン７０の節約表示部７５に浴室用節約スイッチ６４または７３がオン操作されたことを表示させ（ステップＳＴ２７）、流量調整弁３０の開度を中に変更する（ステップＳＴ２８）。そして、使用者が浴室のシャワーＰ１を開栓して、水量センサ３１で最低作動水量以上の水量が検知されると、燃焼ファン２３を回転駆動させ、ガス元弁２５、ガス比例弁２６、ガス遮断弁２７Ａを開弁し、所定量の燃料ガスをガスバーナ２２Ａに供給して、通常給湯量よりも少量の浴室用節約給湯量での給湯量制御を開始する（ステップＳＴ２９〜ＳＴ３０）。
【００４４】
浴室用節約給湯量での給湯量制御の終了は、上記の台所用節約給湯量での給湯量制御のそれと同様である（ステップＳＴ３１〜ＳＴ３３、ＳＴ３５）。
【００４５】
（その他の実施の形態）
（１）上記実施の形態では、各節約給湯量制御の解除は、使用者が節約スイッチをオフ操作することにより行われるが、節約給湯量から通常給湯量に変更するための台所用及び浴室用節約スイッチいずれのオン状態も解除する全解除スイッチを設けてもよい。
【００４６】
（２）上記実施の形態では、使用頻度の多い台所用リモコンにも浴室用節約スイッチを設けているが、浴室用リモコンのみに浴室用節約スイッチを設けてもよい。
【００４７】
（３）上記実施の形態では、１０分間の給湯使用停止により各節約給湯量制御を終了させているが（ステップＳＴ１１及びＳＴ３３）、各節約スイッチがオフ操作されるまで、各節約給湯量制御を継続させてもよい。
【００４８】
（４）上記実施の形態では、各節約スイッチがオフ操作されると、通常給湯量へ戻るように制御されるが、次回給湯開始時には使用頻度の多い台所用節約給湯量となるように設定してもよい。
【符号の説明】
【００４９】
１          給湯器本体
６０        浴室用リモコン
６４，７３  浴室用節約スイッチ
７０        台所用リモコン
７２        台所用節約スイッチ
６７，７５  節約表示部
【図１】
2014219127.tif 000003
【図２】
2014219127.tif 000004
【図３】
2014219127.tif 000005